(57)【要約】【課題】  既存のキーの数により制限を受けることなく、表示手段を複数に分割してＡＦ制御を行う。【解決手段】  （ａ）に示すように、メイン表示部１０２を分割領域Ａ〜Ｌに分割する。この状態で例えば［１］キーが操作された場合には、分割領域Ａに存在する被写体像部分を合焦させる。しかし、［１］キーが長押しされたとすると、（ｂ）に示すように、［１］キーに対応する分割領域Ａを前述のようにＡ−１〜Ａ−１２に１２等分する。この状態で、いずれかのテンキー１１３が短押しされると、当該短押しされたテンキーに対応する細分化領域をＡＦエリアとして、ＡＦ制御を実行する。つまり、本例において例えば［＃］キーが操作された場合には、対応する細分化領域Ａ−１２に存在する被写体像部分が合焦するように、ＡＦ制御する。【選択図】    図８
2005173087.tif 000002
【特許請求の範囲】
【請求項１】
撮像手段と、
この撮像手段により撮像される被写体像を表示する表示手段と、
通信手段と、
この通信手段を制御するために設けられた複数の操作手段と、
前記通信手段を動作させる第１のモードと、前記撮像手段を動作させる第２のモードとを選択的に設定するモード設定手段と、
このモード設定手段により前記第２のモードが設定されている場合、前記表示手段に表示される被写体像を複数の領域に分割し、各領域に前記複数の操作手段を各々割り当てる第１の割当手段と、
この第１の割当手段により割り当てられた領域より、前記複数の操作手段より特定の操作手段の操作を検出することにより、この操作手段に対応する領域を選択する選択手段と、
この選択手段により対応する領域が選択されると、その領域について更に複数に細分化し、この細分化した各領域に前記複数の操作手段を各々割り当てる第２の割当手段と、
この第２の割当手段により割り当てられた領域より、前記複数の操作手段より特定の操作手段の操作を検出することにより、この操作手段に対応する領域に表示されている被写体像部分が合焦するように、前記撮像手段の合焦動作を制御する制御手段と
を備えることを特徴とする複合機器。
【請求項２】
前記選択手段により領域が選択されると、当該領域を前記表示手段に拡大して全画面表示させる第１の表示制御手段を更に備えることを特徴とする請求項１記載の複合機器。
【請求項３】
前記選択手段により領域が選択されると、当該領域を前記表示手段の一部に拡大して多重画面表示させる第２の表示制御手段を更に備えることを特徴とする請求項１記載の複合機器。
【請求項４】
前記操作手段は、テンキーを含むことを特徴とする請求項１乃至３の何れかに記載の複合機器。
【請求項５】
撮像部と、表示部と、通信部と、この通信部を制御するために設けられた複数の操作部とを備えた複合機器における合焦制御方法であって、
前記通信部を動作させる第１のモードと、前記撮像部を動作させる第２のモードとを選択的に設定するモード設定ステップと、
このモード設定ステップにより前記第２のモードが設定されている場合、前記表示部に前記撮像部にて撮像される被写体像を表示させる表示ステップと、
この表示ステップにて表示される被写体像を複数の領域に分割し、各領域に前記複数の操作部を各々割り当てる第１の割当ステップと、
この第１の割当ステップにて割り当てられた領域より、前記複数の操作部より特定の操作部の操作を検出することにより、この操作部に対応する領域を選択する選択ステップと、
この選択ステップにより対応する領域が選択されると、その領域について更に複数に細分化し、この細分化した各領域に前記複数の操作部を各々割り当てる第２の割当ステップと、
この第２の割当ステップにより割り当てられた領域より、前記複数の操作部より特定の操作部の操作を検出することにより、この操作部に対応する領域に表示されている被写体像部分が合焦するように、前記撮像手段の合焦動作を制御する制御ステップと
からなることを特徴とする合焦制御方法。
【請求項６】
前記選択ステップにより領域が選択されると、当該領域を前記表示部に拡大して全画面表示させる第１の表示制御ステップを更に含むことを特徴とする請求項５記載の合焦制御方法。
【請求項７】
前記選択ステップにより領域が選択されると、当該領域を前記表示手段の一部に拡大して多重画面表示させる第２の表示制御ステップを更に含むことを特徴とする請求項５記載の合焦制御方法。
【請求項８】
撮像手段と、この撮像手段により撮像される被写体像を表示する表示手段と、通信手段と、この通信手段を制御するために設けられた複数の操作手段とを備えた複合機器が有するコンピュータを、
前記通信手段を動作させる第１のモードと、前記撮像手段を動作させる第２のモードとを選択的に設定するモード設定手段と、
このモード設定手段により前記第２のモードが設定されている場合、前記表示手段に表示される被写体像を複数の領域に分割し、各領域に前記複数の操作手段を各々割り当てる第１の割当手段と、
この第１の割当手段により割り当てられた領域より、前記複数の操作手段より特定の操作手段の操作を検出することにより、この操作手段に対応する領域を選択する選択手段と、
この選択手段により対応する領域が選択されると、その領域について更に複数に細分化し、この細分化した各領域に前記複数の操作手段を各々割り当てる第２の割当手段と、
この第２の割当手段により割り当てられた領域より、前記複数の操作手段より特定の操作手段の操作を検出することにより、この操作手段に対応する領域に表示されている被写体像部分が合焦するように、前記撮像手段の合焦動作を制御する制御手段と
して機能させることを特徴とする合焦制御プログラム。
【請求項９】
前記コンピュータを、前記選択手段により領域が選択されると、当該領域を前記表示手段に拡大して全画面表示させる第１の表示制御手段として更に機能させることを特徴とする請求項８記載の合焦制御プログラム。
【請求項１０】
前記コンピュータを、前記選択手段により領域が選択されると、当該領域を前記表示手段の一部に拡大して多重画面表示させる第２の表示制御手段として更に機能させることを特徴とする請求項８記載の合焦制御プログラム。
【発明の詳細な説明】
【技術分野】
【０００１】
本発明は、カメラ付き携帯電話等、通信機能と撮像機能とを併有する複合機器、及び該複合機器の合焦制御方法並びに合焦制御プログラムに関する。
【背景技術】
【０００２】
従来、電話機能とカメラ機能とを併有するとももにテンキーやモニター等を有し、テンキーを利用してＡＦ(Auto Focus)制御を行う複合機器が提案されている。この複合機器あっては、モニターを複数の領域に分割して予め各テンキーと対応付けてある。そして、電話モードが設定された状態においてはテンキーは、電話番号を入力するためのキーとして機能する。しかし、カメラモードが設定されるとモニターに被写体像が表示され、テンキーのいずれかを操作すると、当該テンキーに対応付けられているモニターの対応領域における被写体部分が合焦するようにＡＦ制御する。したがって、カメラモードにおいて任意のテンキーを操作することにより、モニターの対応する任意の領域にて合焦した画像を撮像して記録することができる（例えば、特許文献１参照。）。
【特許文献１】特開２０００−４１２２７号公報
【発明の開示】
【発明が解決しようとする課題】
【０００３】
しかしながら、かかる従来の複合機器にあっては、前述のようにモニターを複数の領域に分割して各テンキーと対応付けることから、モニターにおいて分割される領域の数はテンキーと等しい数となる。したがって、モニターにおいてＡＦ制御が可能な分割領域は最大テンキーの数となることから、モニターをより細分化して、被写体像のより細部に対してＡＦ制御を行って、所望の細部のピントがあった画像を撮像することはできない。
【０００４】
無論、テンキーのみならず当該復号器に設けられている他のキーをもモニターの分割領域に対応させるようにすれば、分割領域の数は増大し、これに伴って分割領域の面積が減少することから、被写体の細部を対象とするＡＦ制御が可能となる。しかし、このように他のキーをも対応させても、モニターの分割領域の数は自ずと当該複合機器が有するキーの数に限定されることから、被写体のより細部を対象とするＡＦ制御を行うには限界がある。
【０００５】
本発明は、このような従来の課題に鑑みてなされたものであり、既存のキーの数により制限を受けることなく、表示手段を複数に分割してＡＦ制御を行うことのできる複合機器、及び該複合機器の合焦方法並びに合焦制御プログラムを提供することを目的とするものである。
【課題を解決するための手段】
【０００６】
前記課題を解決するために請求項１記載の発明に係る複合機器は、撮像手段と、この撮像手段により撮像される被写体像を表示する表示手段と、通信手段と、この通信手段を制御するために設けられた複数の操作手段と、前記通信手段を動作させる第１のモードと、前記撮像手段を動作させる第２のモードとを選択的に設定するモード設定手段と、このモード設定手段により前記第２のモードが設定されている場合、前記表示手段に表示される被写体像を複数の領域に分割し、各領域に前記複数の操作手段を各々割り当てる第１の割当手段と、この第１の割当手段により割り当てられた領域より、前記複数の操作手段より特定の操作手段の操作を検出することにより、この操作手段に対応する領域を選択する選択手段と、この選択手段により対応する領域が選択されると、その領域について更に複数に細分化し、この細分化した各領域に前記複数の操作手段を各々割り当てる第２の割当手段と、この第２の割当手段により割り当てられた領域より、前記複数の操作手段より特定の操作手段の操作を検出することにより、この操作手段に対応する領域に表示されている被写体像部分が合焦するように、前記撮像手段の合焦動作を制御する制御手段とを備える。
【０００７】
したがって、撮像手段を動作させて前記表示手段に被写体像を表示させる第２のモードとを選択的に設定するモード設定手段と、このモード設定手段により前記第２のモードが設定されている場合、先ず第１の割当手段により、表示手段が複数の領域に分割されて、各領域に複数の操作手段が各々割り当てられることから、表示手段は先ず割り当てられる操作手段の数と同数に分割される。次に、この状態でいずれかの操作手段を操作すると、操作された操作手段に割り当てられている当該領域が複数に細分化され、この細分化された各領域に前記複数の操作手段が各々割り当てられる。
【０００８】
つまり、第１の割当手段により操作手段の数に分割された領域が、更に第２の割当手段により操作手段の数に分割される。したがって、表示手段を、割り当てられる操作手段の数の二乗の数に分割することができ、よって、既存の操作手段の数により制限を受けることなく、表示手段を複数に分割して被写体像の細部に対し合焦制御を行うことが可能となる。
【０００９】
また、請求項２記載の発明に係る複合機器にあっては、前記選択手段により領域が選択されると、当該領域を前記表示手段に拡大して全画面表示させる第１の表示制御手段を更に備える。したがって、ユーザが合焦させようとする被写体像の細部が拡大して表示され、被写体像の所望の細部を明瞭に確認することができる。
【００１０】
また、請求項３記載の発明に係る複合機器にあっては、前記選択手段により領域が選択されると、当該領域を前記表示手段の一部に拡大して多重画面表示させる第２の表示制御手段を更に備える。したがって、ユーザが合焦させようとする被写体像の細部が拡大して表示され、被写体像の所望の細部を明瞭に確認することができるとともに、第１の割当手段により分割された画面上に表示されている被写体像の一部を視認することもできる。
【００１１】
また、請求項４記載の発明に係る複合機器にあっては、前記操作手段は、テンキーを含む。したがって、テンキーにあっては整然と配列されていることから、分割あるいは細分化された領域とキーとの間関係が明瞭となる。
【００１２】
また、請求項５記載の発明は、撮像部と、表示部と、通信部と、この通信部を制御するために設けられた複数の操作部とを備えた複合機器における合焦制御方法であって、
【００１３】
前記通信部を動作させる第１のモードと、前記撮像部を動作させる第２のモードとを選択的に設定するモード設定ステップと、このモード設定ステップにより前記第２のモードが設定されている場合、前記表示部に前記撮像部にて撮像される被写体像を表示させる表示ステップと、この表示ステップにて表示される被写体像を複数の領域に分割し、各領域に前記複数の操作部を各々割り当てる第１の割当ステップと、この第１の割当ステップにて割り当てられた領域より、前記複数の操作部より特定の操作部の操作を検出することにより、この操作部に対応する領域を選択する選択ステップと、この選択ステップにより対応する領域が選択されると、その領域について更に複数に細分化し、この細分化した各領域に前記複数の操作部を各々割り当てる第２の割当ステップと、この第２の割当ステップにより割り当てられた領域より、前記複数の操作部より特定の操作部の操作を検出することにより、この操作部に対応する領域に表示されている被写体像部分が合焦するように、前記撮像手段の合焦動作を制御する制御ステップとからなる。したがって、記載した工程に従って処理を実行することにより、請求項１記載の発明と同様の作用効果を奏する。
【００１４】
また、請求項６記載の発明に係る合焦制御方法は、前記選択ステップにより領域が選択されると、当該領域を前記表示部に拡大して全画面表示させる第１の表示制御ステップを更に含む。したがって、記載した工程に従って処理を実行することにより、請求項２記載の発明と同様の作用効果を奏する。
【００１５】
また、請求項７記載の発明に係る合焦制御方法は、前記選択ステップにより領域が選択されると、当該領域を前記表示手段の一部に拡大して多重画面表示させる第２の表示制御ステップを更に含む。したがって、記載した工程に従って処理を実行することにより、請求項３記載の発明と同様の作用効果を奏する。
【００１６】
また、請求項８記載の発明に係る合焦制御プログラムは、撮像手段と、この撮像手段により撮像される被写体像を表示する表示手段と、通信手段と、この通信手段を制御するために設けられた複数の操作手段とを備えた複合機器が有するコンピュータを、前記通信手段を動作させる第１のモードと、前記撮像手段を動作させる第２のモードとを選択的に設定するモード設定手段と、このモード設定手段により前記第２のモードが設定されている場合、前記表示手段に表示される被写体像を複数の領域に分割し、各領域に前記複数の操作手段を各々割り当てる第１の割当手段と、この第１の割当手段により割り当てられた領域より、前記複数の操作手段より特定の操作手段の操作を検出することにより、この操作手段に対応する領域を選択する選択手段と、この選択手段により対応する領域が選択されると、その領域について更に複数に細分化し、この細分化した各領域に前記複数の操作手段を各々割り当てる第２の割当手段と、この第２の割当手段により割り当てられた領域より、前記複数の操作手段より特定の操作手段の操作を検出することにより、この操作手段に対応する領域に表示されている被写体像部分が合焦するように、前記撮像手段の合焦動作を制御する制御手段として機能させる。したがって、前記コンピュータがこのプログラムに従って処理を実行することにより、請求項１記載の発明と同様の作用効果を奏する。
【００１７】
また、請求項９記載の発明に係る合焦制御プログラムは、前記コンピュータを、前記選択手段により領域が選択されると、当該領域を前記表示手段に拡大して全画面表示させる第１の表示制御手段として更に機能させる。したがって、前記コンピュータがこのプログラムに従って処理を実行することにより、請求項２記載の発明と同様の作用効果を奏する。
【００１８】
また、請求項１０記載の発明に係る合焦制御プログラムは、前記コンピュータを、前記選択手段により領域が選択されると、当該領域を前記表示手段の一部に拡大して多重画面表示させる第２の表示制御手段として更に機能させる。したがって、前記コンピュータがこのプログラムに従って処理を実行することにより、請求項３記載の発明と同様の作用効果を奏する。
【発明の効果】
【００１９】
以上説明したように本発明によれば、第１の割当手段により割り当てられる操作手段の数に分割された表示手段の各領域が、更に第２の割当手段により前記操作手段の数に分割されることから、表示手段を、割り当てられる操作手段の数の二乗の数に分割することができる。よって、既存の操作手段の数により制限を受けることなく、表示手段をより複数に分割して合焦制御を行うことが可能となる。その結果、被写体像のより細部に対して合焦させることができ、被写体像における所望の細部にピントがあった画像を撮像することが可能となる。
【発明を実施するための最良の形態】
【００２０】
以下、本発明を携帯電話に適用した実施の形態を図に従って説明する。
【００２１】
（第１の実施の形態）
図１は、本発明の各実施の形態に共通する携帯電話１の外観図（開状態：正面図及び背面図）であり、携帯電話１は、蓋部と本体部とからなる二つ折りの構造である。アンテナ１０３は、本体部の背面に設けられており、伸縮自在となっている。スピーカ１０１は、蓋部の前面側に設けられており、音声出力を行う。メイン表示部１０２は、ＱＶＧＡカラー液晶であり、蓋部の前面略中央部に配置されている。
【００２２】
本体部の前面には、カメラキー１０４、メールキー１０５、十字キー１０６、決定キー１０７、アドレスキー１０８、ネット接続キー１０９、クリアキー１１０、オンフックキー１１１とオフフックキー１１２、テンキー１１３が設けられている。これらのキーにおいて、十字キー１０６、決定キー１０７、アドレスキー１０８、ネット接続キー１０９は、この携帯電話１を右手で握持した場合、当該右手の親指で操作可能な位置に配置されている。
【００２３】
また、カメラキー１０４は、着信待受け状態からカメラモードへの移行時及び撮像部の起動させる際に操作されるとともに、カメラ−ムービー切替に使用される。メールキー１０５は、メールモード移行時及びメールプログラムロード時に操作されるキーである。十字キー１０６は、カーソル移動時に操作され、カメラモード時には、左右方向は露出補正、上下方向はズーム調整として機能する。決定キー１０７は各種モードの決定時に操作され、カメラモード時にはシャッターキーとして機能する。
【００２４】
アドレスキー１０８は、アドレス帳データを表示する際に操作されるキーであり、ネット接続キー１０９は、外部のネットワーク接続用の操作キーである。クリアキー１１０は、キャンセル指示用のキーであり、テンキー１１３は、文字入力及びダイアル入力用として使用され、数字［０］〜［９］が付されたキー、及び記号［＊］［＃］が付されたキーとで構成されている。すなわち、本明細書においては、数字［０］〜［９］が付されたキーのみならず記号［＊］［＃］が付されたキーをも含んでテンキーと称する。マイク１１４は、本体部の下部に設けられており、通話時において音声入力を行う。
【００２５】
また、蓋部の背面には、録音用マイク１１５、カラー液晶からなるサブ表示部１１６、着信の際、発光する報知用ＬＥＤ１１７、光学系としての撮像レンズ１１８、及びフラッシュ用ＬＥＤ１１９が配置されている。また、本体部の裏面には報知用スピーカ１２０が配置されている。この報知用スピーカ１２０は、着信などを報知するものであり、蓋部を本体部に閉じた状態でも報知音が聞こえるように、本体部の裏面に配置されている。
【００２６】
図２は、携帯電話１の構成を示すブロック図である。無線部１２１は、アンテナ１０３に接続されており、ＱＰＳＫ方式に基づく変復調と、ＣＤＭＡ方式に基づく端末認証処理を含む通信処理を行う。制御部１２２は、当該機器を制御するとともにＷＷＷ接続制御を行うものであって、通信データ処理部１２２１、システムＲＯＭ１２２２及びオーディオインターフェース１２２３、及び、内蔵クロック（不図示）に基づき現在時刻を計時するための時刻計時部１２２４を有している。通信データ処理部１２２１は、ＣＬＥＰ系音声復号符号化処理回路、パケットデータ生成回路、及びパケットデータ復元回路を含み、通信プロトコルに沿ったデータ処理を行う。システムＲＯＭ１２２２には、ＯＳのような基本システムが格納される。オーディオインターフェース１２２３は、通信データ処理部１２２１で処理される音声信号の入出力を行うものであって、前記スピーカ１０１、マイク１１４及び録音用マイク１１５が接続されている。なお、入力部は、前記カメラキー１０４〜テンキー１１３で構成される。
【００２７】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、機器内で生成される各種データを記憶する。プログラムＲＯＭ（ＮＯＲ  Ｆｌａｓｈ）１２５は、各種アプリケーションプログラム等を格納し、特に本実施の形態においては、ＤＳＰ１２９にてデジタル化された画像データに対し圧縮符号化処理を施すためのプログラムを含むカメラアプリケーションを記憶する。音源ＩＣ１２６は、報知音の波形を記憶するともに出力するものであって、アンプ１２７は音源ＩＣ１２６からの出力を増幅し、前記報知用スピーカ１２０はこれを再生する。
【００２８】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、前記撮像レンズ１１８により絞り１３２を介して被写体像が結像されるＣＣＤ等からなる。ＤＳＰ１２９は、この撮像デバイス１３０からの画像信号をデジタル信号化処理するとともに、デジタルズーム処理して拡大及び縮小処理するものである。この拡大及び縮小処理された画像データに基づき、表示モジュール系ドライバがメイン表示部１０２を駆動することにより、撮像デバイス１３０上に結像された被写体像がメイン表示部１０２に拡大又は縮小表示されるとともに、シャッター操作に伴い当該被写体像の画像データが後述する画像メモリ１２４３に記録されるように構成されている。
【００２９】
また、撮像レンズ１１８はオートフォーカス制御用のステップモータ等からなる駆動機構（図示せず）に保持されている。そして、制御部１２２からのコントラスト検出方式のパッシブＡＦに基づく制御信号に応じて、ＡＦドライバ１３１が出力する駆動信号が駆動機構に供給されることにより、撮像レンズ１１８を光軸上の前後に移動して合焦動作を行うように構成されている。なお、絞り１３２はパンフォーカスが可能な絞り値が設定された固定式である。
【００３０】
図３は、プログラムＲＯＭ１２５のメモリエリアの構成を示す概念図である。プログラムＲＯＭ１２５は、ソフトウェアプログラム格納領域１２５１、第１テンキー対応テーブル１２５３、第２テンキー対応テーブル１２５４及びその他の格納領域１２５２とを有している。ソフトウェアプログラム格納領域１２５１には、本実施の形態の特徴であるカメラアプリケーションが格納されており、その他の格納領域１２５２にはその他のアプリケーションが格納されている。
【００３１】
第１テンキー対応テーブル１２５３には、図４に示すように、テンキー１１３を構成する［１］キー〜［＃］キーに対応して、前記メイン表示部１０２を１２等分した各分割領域Ａ〜Ｌが記憶されている。これらテンキー１１３の［１］キー〜［＃］キーと、メイン表示部１０２の各分割領域Ａ〜Ｌとの対応関係は、図８（ａ）に示すように、テンキー１１３が４行３列に配置されているので、メイン表示部１０２も４行３列に等分して各分割領域Ａ〜Ｌに対応させてある。
【００３２】
また、第２テンキー対応テーブル１２５４には、図５にその一部を示すように、分割領域Ａ〜Ｌ毎に、各分割領域Ａ〜Ｌを１２等分した各細分化領域Ａ−１〜Ａ−１２、Ｂ−１〜Ｂ−１２、Ｃ−１〜Ｃ−１２・・・がテンキー１１３の［１］キー〜［＃］キーに対応して記憶されている。つまり、第２テンキー対応テーブル１２５４には、分割領域Ａ〜Ｌ毎に１２個の細分化領域が記憶されており、よって、記憶されている細分化領域の数は１２の二乗の１４４である。また、テンキー１１３の［１］キー〜［＃］キーと、各細分化領域との対応関係は、図８（ａ）に分割領域Ａの場合を示すように、テンキー１１３が４行３列に配置されているので、分割領域Ａも４行３列の細分化領域Ａ−１〜Ａ１２に等分してテンキー１１３の［１］キー〜［＃］キーに対応させてある。
【００３３】
図６は、前記ＲＡＭ１２４のメモリエリアの構成を示す概念図である。ＲＡＭ１２４は、アドレス帳記憶領域１２４１、メールデータ記憶領域１２４２、画像メモリ１２４３、及びその他のワーク領域１２４４からなる。アドレス帳記憶領域１２４１は、氏名、電話番号、メールアドレス等を１レコードとして複数記憶する。メールデータ記憶領域１２４２には、メールソフトウェアを使用して作成されたメールデータや、受信したメールデータを格納する。画像メモリ１２４３は、撮像された画像の画像ファイルを格納する。その他のワーク領域１２４４は、ワークメモリとして各種データ格納する。
【００３４】
次に、以上の構成に係る携帯電話１の動作について説明する。着信待受け状態においては、この携帯電話１は一般的な携帯電話と同様に機能する。つまり、前述のように、メールキー１０５は、メールモード移行時及びメールプログラムロード時に操作されるキーとして機能し、アドレスキー１０８は、アドレス帳データを表示する際に操作されるキーとして機能し、ネット接続キー１０９は、外部のネットワーク接続用の操作キーとして機能し、テンキー１１３は、文字入力及びダイアル入力用キーとして機能する。
【００３５】
そして、ユーザが携帯電話１をカメラとして使用すべく、カメラキー１０４をワンタッチ操作すると、制御部１２２は、このカメラキー１０４の操作に応答してカメラモードに移行し、ソフトウェアプログラム格納領域１２５１に記憶されるカメラアプリケーションをロードする。また、このカメラモードへの移行に伴って、制御部１２２は、図７のフローチャートに示すように処理を実行する。
【００３６】
すなわち、被写体画像の中心部をＡＦエリアとしてＡＦ制御を実行し、で撮像レンズ１１８により撮像デバイス１３０上に結像された被写体像をメイン表示部１０２に、スルー画像として表示させる（ステップＳ１０１）。引き続き、画面分割・表示処理を行って、図８（ａ）に示したように、メイン表示部１０２を前述のようにＡ〜Ｌに１２等分する仮想線１０２１を表示させる（ステップＳ１０２）。この処理により、被写体像が表示されているメイン表示部１０２にさらに、仮想線１０２１が表示されて、この仮想線１０２１によりメイン表示部１０２が分割領域Ａ〜Ｌに１２等分される。
【００３７】
次に、いずれかのテンキー１１３の短押しが検出されたか否かを判断する（ステップＳ１０３）。ここで、短押しとは、後述する長押しよりも短い時間でテンキー１１３が押下された場合である。そして、テンキー１１３のいずれかが短押しされた場合には、当該短押しされたテンキーに対応する分割領域をＡＦエリアとして、ＡＦ制御を実行する。つまり、例えば［１］キーが操作された場合には、分割領域Ａに存在する被写体像部分が合焦するように、撮像レンズ１１８を保持しているオートフォーカス制御用のステップモータ等からなる駆動機構を、ＡＦドライバ１３１からの駆動信号により駆動し、撮像レンズ１１８を光軸上の前後に移動する。したがって、テンキー１１３の短押しのみを行うことにより、当該短押しされたテンキーに対応する分割領域の被写体像部分を合焦させることができる。
【００３８】
また、ステップＳ１０３又はＳ１０４に続くステップＳ１０５では、いずれかのテンキー１１３の長押しが検出されたか否かを判断する。長押しが検出されない場合には、ステップＳ１０６〜Ｓ１０８の処理を行うことなく、ステップＳ１０９に進み撮影処理を実行する。したがって、この場合には、被写体像の中心部が合焦した状態（ステップＳ１０３の判断がＮＯである場合）、又は短押しされたテンキーに対応する分割領域が合焦した状態（ステップＳ１０３の判断がＹＥＳである場合）で、撮影処理が実行されることとなる。
他方、いずれかのテンキー１１３の長押しが検出された場合には（ステップＳ１０５；ＹＥＳ）、長押しされたテンキーに対応する分割領域を細分化して表示する（ステップＳ１０６）。このステップＳ１０６での処理により、例えば［１］キーが長押しされたとすると、図８（ｂ）に示すように、［１］キーに対応する分割領域Ａを前述のようにＡ−１〜Ａ−１２に１２等分する仮想線１０２２を表示させる。したがって、分割領域Ａは、仮想線１０２２が表示されることにより、この仮想線１０２２によって、細分化領域Ａ−１〜Ａ−１２に１２等分される。
【００３９】
次に、いずれかのテンキー１１３の短押しが検出されたか否かを判断する（ステップＳ１０７）。テンキー１１３のいずれかが短押しされた場合には、当該短押しされたテンキーに対応する細分化領域をＡＦエリアとして、ＡＦ制御を実行する。つまり、本例において例えば［＃］キーが操作された場合には、対応する細分化領域Ａ−１２に存在する被写体像部分が合焦するように、ＡＦドライバ１３１を制御し該ＡＦドライバ１３１からの駆動信号により、撮像レンズ１１８を光軸上の前後に移動する。したがって、いずれかのテンキーを長押し、その後いずれかのテンキーを短押しすることにより、長押ししたキーに対応する分割領域であって、短押ししたキーに対応する細分化領域の被写体像部分を合焦させることができる。
【００４０】
しかる後に、撮影処理を実行する（ステップＳ１０９）。すなわち、カメラモードにおいて、決定キー１０７が操作されるとこの時点でＤＳＰ１２９により処理されている被写体像の画像データを、カメラアプリケーションにて圧縮符号化処理して画像ファイルを生成し、撮像日時をファイル名として、この画像ファイルを画像メモリ１２４３に記憶させる。したがって、ユーザは、被写体像における所望の細部にピントがあった画像を撮影して画像メモリ１２４３に記憶させることができる。
【００４１】
（第２の実施の形態）
図９は、本発明の第２の実施の形態における処理手順を示すフローチャートである。このフローチャートにおいて、ステップＳ２０１〜Ｓ２０６は、前述した第１の実施の形態におけるステップＳ１０１〜Ｓ１０６と同一の処理である。したがって、ステップＳ２０６での処理により、例えば［１］キーが長押しされたとすると、図１０（ａ）に示すように、［１］キーに対応する分割領域ＡをＡ−１〜Ａ−１２に１２等分する仮想線１０２２が表示される。よって、分割領域Ａは、仮想線１０２２が表示されることにより、この仮想線１０２２によって、細分化領域Ａ−１〜Ａ−１２に１２等分される。
【００４２】
また、ステップＳ２０６に続くステップＳ２０７では、細分化領域に１２等分された分割領域をメイン表示部１０２に全画面表示させる。したがって、本例の場合、図１０（Ｂ）に示すように、細分化領域Ａ−１〜Ａ−１２からなる分割領域Ａがメイン表示部１０２に全画面表示されることとなる。したがって、ユーザが合焦させようとする被写体像の細部がメイン表示部１０２に拡大して表示され、被写体像の所望の細部を明瞭に確認することができる。
【００４３】
そして、合焦させようとする被写体像の細部を確認して、対応するテンキーを短押し操作すると、ステップＳ２０８の判断がＹＥＳとなり、ステップＳ２０９及びステップＳ２１０で前述した第１の実施の形態におけるステップＳ１０８及びステップＳ１０９と同一の処理が実行されることとなる。
【００４４】
（第３の実施の形態）
図１１は、本発明の第３の実施の形態における処理手順を示すフローチャートである。このフローチャートにおいて、ステップＳ３０１〜Ｓ３０６は、前述した第１の実施の形態におけるステップＳ１０１〜Ｓ１０６と同一の処理である。したがって、ステップＳ３０６での処理により、例えば［１］キーが長押しされたとすると、図１２（ａ）に示すように、［１］キーに対応する分割領域ＡをＡ−１〜Ａ−１２に１２等分する仮想線１０２２が表示される。よって、分割領域Ａは、仮想線１０２２が表示されることにより、この仮想線１０２２によって、細分化領域Ａ−１〜Ａ−１２に１２等分される。
【００４５】
また、ステップＳ３０６に続くステップＳ３０７では、細分化領域に１２等分された分割領域をメイン表示部１０２に拡大ウインドウ表示させる。したがって、本例の場合、図１２（Ｂ）に示すように、細分化領域Ａ−１〜Ａ−１２からなる分割領域Ａがメイン表示部１０２に拡大してウインドウ表示されることとなる。したがって、ユーザが合焦させようとする被写体像の細部がメイン表示部１０２に拡大して表示され、被写体像の所望の細部を明瞭に確認することができるとともに、分割領域Ａ〜Ｌ上に表示されている被写体像全体の一部を視認することもできる。
【００４６】
そして、合焦させようとする被写体像の細部を確認して、対応するテンキーを短押し操作すると、ステップＳ３０８の判断がＹＥＳとなり、ステップＳ３０９及びステップＳ３１０で前述した第１の実施の形態におけるステップＳ１０８及びステップＳ１０９と同一の処理が実行されることとなる。
【００４７】
なお、本実施の形態においては、本発明を携帯電話に適用した場合を示したが、これに限ることなく、ＰＤＡ、デジタルカメラ、携帯型ゲーム機等所定の機能手段と撮像機能とを併有するの比較的小型の他の機器に適用し得ることは勿論である。
【図面の簡単な説明】
【００４８】
【図１】（ａ）は本発明の各実施の形態の形態に共通する携帯電話の正面図、（ｂ）は背面図である。
【図２】携帯電話の構成を示すブロック図である。
【図３】プログラムＲＯＭのメモリエリアの構成を示す概念図である。
【図４】第１テンキー対応テーブルの概念図である。
【図５】第２テンキー対応テーブルの概念図である。
【図６】ＲＡＭのメモリエリアの構成を示す概念図である。
【図７】本発明の第１の実施の形態における処理手順を示すフローチャートである。
【図８】同実施の形態における表示遷移図である。
【図９】本発明の第２の実施の形態における処理手順を示すフローチャートである。
【図１０】同実施の形態における表示遷移図である。
【図１１】本発明の第３の実施の形態における処理手順を示すフローチャートである。
【図１２】同実施の形態における表示遷移図である。
【符号の説明】
【００４９】
１                  携帯電話（複合機器）
Ａ−１１〜Ａ−１２  細分化領域
１０２              メイン表示部（表示手段、表示部）
１０３              アンテナ（通信手段、通信部）
１０４              カメラキー
１０５              メールキー
１０６              十字キー
１０７              決定キー
１０９              ネット接続キー
１１０              クリアキー
１１１              オンフックキー
１１２              オフフックキー
１１３              テンキー（操作手段、操作部）
１１８              撮像レンズ（撮像手段、撮像部）
１２１              無線部（通信手段、通信部）
１２２              制御部（モード設定手段、第１の割当手段、選択手段、第２の割当手段、制御手段、第１の表示制御手段、第２の表示制御手段）
１２４              ＲＡＭ
１２５              プログラムＲＯＭ
１２８              表示モジュール系ドライバ
１２９              ＤＳＰ
１３０              撮像デバイス（撮像手段、撮像部）
１３１              ＡＦドライバ（制御手段）
１０２１            仮想線
１０２２            仮想線
１２４３            画像メモリ
１２４４            ワーク領域
１２５１            ソフトウェアプログラム格納領域
１２５３            第１テンキー対応テーブル
１２５４            第２テンキー対応テーブル
Ａ〜Ｌ              分割領域
【図１】
2005173087.tif 000003
【図２】
2005173087.tif 000004
【図３】
2005173087.tif 000005
【図４】
2005173087.tif 000006
【図５】
2005173087.tif 000007
【図６】
2005173087.tif 000008
【図７】
2005173087.tif 000009
【図８】
2005173087.tif 000010
【図９】
2005173087.tif 000011
【図１０】
2005173087.tif 000012
【図１１】
2005173087.tif 000013
【図１２】
2005173087.tif 000014